(57)【要約】      （修正有）【課題】油絵等の細部を描く時、キャンバス面に手が触れないよう描く事ができる油絵等の詳細部描写用腕支えの提供。【解決手段】キャンバス４の上下に、レール３を設けたキャンバス受け２と、レール８を設けたキャンバス留め５を嵌め、イーゼル１のキャンバス支え６にてキャンバス留め５を抑え、レール３と８に腕支え７のスライド片９又は溝車を嵌めて掛け渡し、筆を持った手を腕支え７に添え、必要に応じて左右にスライドさせ細部の絵を描くようにした油絵等の詳細部描写用腕支え。【選択図】図１
2005170018.tif 000002
【特許請求の範囲】
【請求項１】
イーゼル（１）のキャンバス受け（２）にキャンバス（４）を入れ、キャンバス（４）の上部にキャンバス留め（５）を被せ、キャンバス留め（５）のレール（８）とキャンバス受け（２）のレール（３）との間に、長さを調節できる腕支え（７）を、レール（３）とレール（８）との間にキャンバス（４）の面より浮かせて掛け渡し、腕支え（７）をスライド片（９）又は溝車（１０）で左右にスライドさせ、腕支え（７）に手を添えて詳細な部分の絵を描くことを特長とする油絵等の詳細部描写用腕支え。
【請求項２】
キャンバス（４）のキャンバス留め（１１）にレール（１２）を設け、溝車（１３）を取り付けた長さを調節できる腕支え（１４）の溝車（１３）を、レール（１２）に回動するようにはめ、腕支え（１４）を必要に応じて左右にスライドさせ、腕支え（１４）に筆等を持った腕をのせ、水平又は少し角度を付けたキャンバス（４）の詳細な部分の絵を描く事を特長とする請求項１記載の油絵等の詳細部描写用腕支え。
【請求項３】
腕支え（１９）にスライドする溝車（１８）を取り付け、キャンバス（４）のキャンバス受け（２０）とキャンバス留め（２１）にレール（２２）と（２３）を設け、縦面と平面で溝車（１８）により左右にスライドさせ、キャンバス（４）の詳細な部分の絵を描く事を特長とする請求項１記載の油絵等の詳細部描写用腕支え。
【発明の詳細な説明】
【技術分野】
【０００１】この発明は、油絵等の詳細な部分を描く時、キャンバスの画面に手が触れる事のないように絵を描く器具である。
【背景技術】
【０００２】従来油絵等を描く場合、背景描写のような大ざっぱな所を描く時は筆を長く持って描くが、線を細く細部の描写になると筆を持った手を他の手で支えて描いていたが、手が震えて思う様な線を描く事が出来なかった。
本発明と重複するような先願は見つける事が出来なかった。
【発明の開示】
【発明が解決しようとする課題】
【０００３】筆にて油絵等を描く時画面に手が触れないようにする事。
【課題を解決するための手段】
【０００４】この課題を解決するには、イーゼル１に付属しているキャンバス受け２にレール３を増設し、キャンバス４の上部を留めるキャンバス留め５を、キャンバス受け２と同じ位の長さにしてなお上部にレール８を設ける。キャンバス受け２とキャンバス留め５との間にキャンバス４を入れ、イーゼル１のキャンバス支え６にてキャンバス留め５を支える。
キャンバス受け２のレール３とキャンバス留め５のレール８との間に、レール３とレール８に左右スライドするようスライド片９を設けた長さが調節できる腕支え７をキャンバス４より浮かせて掛け渡し、普通に描く時はキャンバス４の端に留め置き、詳細な部分を描く時は左右にスライドする腕支え７に筆を持った手を添えて描く。
【発明の効果】
【０００５】今までは筆を持った手に他の手を添えて描いていたが、年齢も高齢になると手が震え思うように絵を描く事が出来なかった。又最近では高齢者の油絵を描く人が増えて来た事でもあり、この様な器具が必要で有り細部をきれいに描く事が出来る。
【発明を実施するための最良の形態】
【０００６】キャンバスに絵を描く時キャンバス面に触る事無く描写する事が出来る。
【実施例】
【０００７】図１はイーゼル１のキャンバス受け２にレール３を増設し、キャンバス４の上部を留めるキャンバス留め５を、キャンバス受け２と同じ位の長さにしてキャンバス受け２とキャンバス留め５の間にキャンバス４を入れ、イーゼル１のキャンバス支え６にてキャンバス留め５を支える。キャンバス受け２のレール３とキャンバス留め５のレール８の間に、スライド片９を設けキャンバス４の面より浮かして長さが調節出来る腕支え７を掛け渡し、絵の細部を描く時は腕支え７を左右にスライドさせ、腕支え７に筆を持った手を添えて油絵の細部を描く。又イーゼルが木製の場合はキャンバス受けも木製であるため、キャンバス受けの下にＬ形金物を取り付けレールとする。
図２はスライド片９に変えて溝車１０を腕支え７に取り付け、レール３と８に嵌め腕支え７を左右にスライドさせる。
図３はキャンバス４を水平又は少し角度をもたせて描きたい時の図で、キャンバス４を挟むキャンバス受け１１にレール１２を設け、キャンバス受け１１でキャンバス４が固定するよう固定具１５でキャンバス受け１１を挟み、締めつけ片１６の締めつけ具１７でキャンバス受け１１を固定させ、レール１２に長さを調節できる腕支え１４の溝車１３を回動するようはめ込み、腕支え１４に筆等を持った腕を乗せ、必要に応じて腕支え１４を左右にスライドして油絵等の詳細な部分を描く。
図４はキャンバス受け１２を固定具１５の締めつけ片１６で挟み、締めつけ具１７で固定する。図５は図１のキャンバス１に立てかけて描く時と、図６は図３のように平らにして描く時のスライド片又は溝車１８を腕支え１９に取り付け、キャンバス受け２０とキャンバス留め２１にレール２２と２３を設け、イーゼルにて描く時は溝車１８をレール２２に挟み、平らにして描く時は溝車１８をレール２３に挟み左右にスライドして描く。
【産業上の利用可能性】
【０００８】従来では油絵を描く場合の細部の描写は画面に手が触れないよう筆を持つ手を他の手で支えて描いていたが、この発明の器具により筆先が震える事なく油絵等の細部の線を描く事が出来る。
【図面の簡単な説明】
【０００９】図１はイーゼル及びキャンバスに腕支えを取り付けた時の斜視図
図２はスライド片９に変えて溝車１０を取り付けた時の斜視図の一部
図３はキャンバスを平らに置いて描くようにした斜視図
図４は図３のキャンバス受け１２を締めつける器具の斜視図
図５はイーゼルに立てかけて描く時の側面図
図６は平らにして描く時の側面図
【符号の説明】
【００１０】  １                イーゼル
２  ２０          キャンバス受け
３  ８  １２      レール
４                キャンバス
５  １１  ２１    キャンバス留め
６                キャンバス支え
７  １４  １９    腕支え
９                スライド片
１０  １３  １８  溝車
１５              固定具
１６              締めつけ片
１７              締めつけ具
２２  ２３        レール
【図１】
2005170018.tif 000003
【図２】
2005170018.tif 000004
【図３】
2005170018.tif 000005
【図４】
2005170018.tif 000006
【図５】
2005170018.tif 000007
【図６】
2005170018.tif 000008
【手続補正書】
【提出日】平成16年1月30日(2004.1.30)
【手続補正１】
【補正対象書類名】明細書
【補正対象項目名】０００７
【補正方法】変更
【補正の内容】
【０００７】図１はイーゼル１のキャンバス受け２にレール３を増設し、キャンバス４の上部を留めるキャンバス留め５を、キャンバス受け２と同じ位の長さにして、キャンバス受け２とキャンバス留め５の間にキャンバス４を入れ、イーゼル１のキャンバス支え６にてキャンバス留め５を支える。キャンバス受け２のレール３とキャンバス留め５のレール８の間に、スライド片９を設けキャンバス４の面より浮かして長さが調節出来る腕支え７を掛け渡し、絵の細部を描く時は腕支え７を左右にスライドさせ、腕支え７に筆を持った手を添えて油絵の細部を描く。又イーゼルが木製の場合はキャンバス受けも木製で有るため、キャンバス受けの下にＬ形金物を取り付けレールとする。図２はスライド片９に変えて溝車１０を腕支え７に取り付け、レール３と８に嵌め腕支え７を左右にスライドさせる。図３はキャンバス４又は紙画用紙２４を水平にして描くパステル画又は墨絵等では、キャンバス留め１１を文鎮のように紙を抑えて使用する。キャンバス留め１１のレール１２に、長さを調節できる腕支え１４の溝車１３を回動するよう嵌めこみ、腕支え１４に筆等を持った腕を乗せ、必要に応じて腕支え１４をスライドして油絵パステル画墨絵の詳細な部分を描く。図４はキャンバス留め１１を固定具１５の締めつけ片１６で挟み、締めつけ具１７で固定する。図５は図１のキャンバス１に立てかけて描く時と、図６は図３のように平らにして描く時のスライド片又は溝車１８を腕支え１９に取り付け、キャンバス受け２０とキャンバス留め２１にレール２２と２３を設け、イーゼルに立て掛けて描く時は溝車１８をレール２２に挟み、平らにして描く時は溝車１８をレール２３に挟み左右スライドする両用出来る腕支えである。
【手続補正２】
【補正対象書類名】明細書
【補正対象項目名】０００９
【補正方法】変更
【補正の内容】
【０００９】図１はイーゼル及びキャンバスに腕支えを取り付けた時の斜視図図２はスライド片に変えて溝車を取り付けた時の斜視図の一部図３はキャンバス又は画用紙を平らにして描くようにした斜視図図４は図３のキャンバス留めを固定する器具の斜視図図５はイーゼルに立てかけて描く時の側面図図６は図５を平らにする時の側面図
【手続補正３】
【補正対象書類名】明細書
【補正対象項目名】００１０
【補正方法】変更
【補正の内容】
【００１０】１                        イーゼル２  ２０                  キャンバス受け３  ８  １２  ２２  ２３  レール４                        キャンバス５  １１  ２１            キャンバス留め６                        キャンバス支え７  １４  １９            腕支え９                        スライド片１０  １３  １８          溝車１５                      固定具１６                      締めつけ片１７                      締めつけ具２４                      紙画用紙
【手続補正４】
【補正対象書類名】図面
【補正対象項目名】図３
【補正方法】変更
【補正の内容】
【図３】
2005170018.tif 000009